(57)【特許請求の範囲】
【請求項１】
核部とその外被とからなるソリッドコアをカバーで被覆したスリーピースソリッドゴルフボールにおいて、
前記核部の直径を２４〜３０ｍｍ、前記外被の厚さを３．５〜８．５ｍｍとし、
前記ソリッドコアの核部を、
（１）前記核部の中心部のショアＤ硬度：１５〜４５、（２）前記核部の表面から前記中心部に向けて０〜４ｍｍの範囲のショアＤ硬度：４５以下とし、且つ、（１）≦（２）とし、
前記ソリッドコアの外被を、
（３）前記外被の内側部のショアＤ硬度：６５以下、（４）前記外被の表面から前記内側部に向けて０〜２ｍｍの範囲のショアＤ硬度：４０以上とし、且つ、（２）＜（３）、（３）＞（４）とする、
ことを特徴とするスリーピースソリッドゴルフボール。
【請求項２】
請求項１記載のスリーピースソリッドゴルフボールにおいて、
前記ソリッドコアの外被の前記表面から前記内側部に向けて０〜２ｍｍの範囲のショアＤ硬度が、５０未満のときには前記ソリッドコアをショアＤ硬度６３以上の前記カバーで被覆し、５０以上のときには前記ソリッドコアをショアＤ硬度６７以下の前記カバーで被覆する、
ことを特徴とするスリーピースソリッドゴルフボール。
【請求項３】
請求項１記載のスリーピースソリッドゴルフボールにおいて、
前記ソリッドコアの外被は、シス−１，４構造４０％以上、ムーニー粘度［ＭＬ1+4（１００℃）］７０未満のポリブタジエンゴムを含有する基材ゴム１００重量部に対して、高級脂肪酸を０．５〜２重量部配合するゴム組成物から形成する、
ことを特徴とするスリーピースソリッドゴルフボール。
【発明の詳細な説明】
【０００１】
【産業上の利用分野】
本発明は、２層構造のソリッドコアをカバーで被覆したスリーピースソリッドゴルフボールに関する。
【０００２】
【従来の技術】
ツーピースソリッドゴルフボールは、飛距離は出るが打撃感触が硬いという欠点がある。そこで、ツーピースソリッドゴルフボールのこの欠点を改良するものとして、ソリッドコアを２層構造としたスリーピースソリッドゴルフボールが提案されている。
【０００３】
例えば、特開昭６０−２４１４６４号公報には、ソリッドコアをインナーコアとアウターコアとに二分して構成し、インナーコアを硬度５０〜７０（ＪＩＳ−Ｃ硬度）、アウターコアを硬度７０〜９０（ＪＩＳ−Ｃ硬度）としたスリーピースソリッドゴルフボールが開示されている。インナーコアを軟らかく、アウターコアを硬くしてソフトな打撃感触と十分な飛距離を得ようとするものである。
【０００４】
【発明が解決しようとする課題】
この場合、前記のスリーピースソリッドゴルフボールは、インナーコアを軟らかくすることによりソフトな打撃感触を得るようにしたものであるが、アウターコアの硬さの影響が出現するため、打撃時の感触は必ずしもソフトになるとは言い難い。また、このゴルフボールは打撃時の変形が大きいため、耐久性がツーピースソリッドゴルフボールよりも相当に低くなる欠点がある。
【０００５】
本発明は、十分な飛距離を得ることができ、しかも、打撃感触がソフトで、且つ、耐久性の高いスリーピースソリッドゴルフボールを提供することを目的とする。
【０００６】
【課題を解決するための手段】
前記の目的を達成するために、本発明は、核部とその外被とからなるソリッドコアをカバーで被覆したスリーピースソリッドゴルフボールにおいて、
前記核部の直径を２４〜３０ｍｍ、前記外被の厚さを３．５〜８．５ｍｍとし、
前記ソリッドコアの核部を、
（１）前記核部の中心部のショアＤ硬度：１５〜４５、（２）前記核部の表面から前記中心部に向けて０〜４ｍｍの範囲のショアＤ硬度：４５以下とし、且つ、（１）≦（２）とし、
前記ソリッドコアの外被を、
（３）前記外被の内側部のショアＤ硬度：６５以下、（４）前記外被の表面から前記内側部に向けて０〜２ｍｍの範囲のショアＤ硬度：４０以上とし、且つ、（２）＜（３）、（３）＞（４）とする、
ことを特徴とする。
【０００７】
本発明のスリーピースソリッドゴルフボールは、図１に示すように、核部１ａおよびその外被１ｂからなるソリッドコア１と、前記ソリッドコア１を被覆するカバー２とから構成される。
【０００８】
ソリッドコア１の核部１ａにおいて、中心部のショアＤ硬度が、１５より低いと耐久性が悪くなり、４５より高いと打撃感触が悪くなることがある。また、核部１ａの表面から前記中心部に向けて０〜４ｍｍの範囲のショアＤ硬度が、４５より高い場合にも、打撃感触が悪くなることがある。さらに、核部１ａの前記中心部の硬度が前記表面の側の硬度よりも高い場合には、飛距離が出にくくなる。
【０００９】
ソリッドコア１の外被１ｂにおいて、内側部のショアＤ硬度が、６５より高いと打撃感触が悪くなる。また、外被１ｂの表面から前記内側部に向けて０〜２ｍｍの範囲のショアＤ硬度が、４０より低いと飛距離が出にくくなる。さらに、外被１ｂの前記内側部の硬度が前記表面の側の硬度よりも低い場合には、打撃感触が悪くなり、且つ、耐久性が低下する。
【００１０】
さらに、外被１ｂの内側部のショアＤ硬度が、核部１ａの表面から中心部に向けて０〜４ｍｍの範囲のショアＤ硬度よりも低い場合には、飛距離が出にくくなる。
【００１１】
本発明のスリーピースソリッドゴルフボールは、通常、ソリッドコア１の直径を３７〜４１ｍｍとし、ソリッドコア１の核部１ａの直径を２４〜３０ｍｍとするが、これらの範囲は多少変更することができる。
【００１２】
ソリッドコア１の核部１ａは、通常、天然ゴムおよび／または合成ゴム（例えば、ポリブタジエンゴム、イソプレンゴム、スチレン・ブタジエンゴム等）に、α，β−不飽和カルボン酸の金属塩（例えば、アクリル酸亜鉛、メタクリル酸亜鉛等）、あるいは、α，β−不飽和カルボン酸（例えば、アクリル酸、メタクリル酸等）と金属酸化物（例えば、酸化亜鉛、酸化マグネシウム等）を配合し、必要に応じて、充填剤、老化防止剤、顔料等を配合し、さらに、有機過酸化物（例えば、ジクミルパーオキサイド、１，１−ビス（ｔ−ブチルパーオキシ）−３，３，５−トリメチルシクロヘキサン、α，α′−ビス（ｔ−ブチルパーオキシイソプロピル）ベンゼン等）を配合したゴム組成物を使用して形成する。
【００１３】
ソリッドコア１の外被１ｂは、核部１ａと同様なゴム組成物から形成するが、基材ゴムが、シス−１，４構造４０％以上、ムーニー粘度［ＭＬ1+4 （１００℃）］７０未満のポリブタジエンゴムを含有し、基材ゴム１００重量部に対して、高級脂肪酸（例えば、パルミチン酸、ステアリン酸、ラウリン酸、ミリスチン酸、ベヘニン酸、オレイン酸、リノール酸、リノレン酸等）を０．５〜２重量部添加するのが好ましい。このようなゴム組成物により外被１ｂを形成すると、高反発性が得られるとともに、硬度分布を容易にコントロールすることができる。
【００１４】
カバー２は、通常、アイオノマー樹脂またはこれを含んだ材料を使用して形成するが、天然または合成バラタゴム、ポリウレタン樹脂等も使用できる。カバー２の厚みは、従来のスリーピースソリッドゴルフボールのカバーの厚みと同程度（例えば、１．５〜２．５ｍｍ）にする。カバー２が軟らかいと打撃感触がソフトになるが、ソリッドコア１が軟らかい場合には、飛距離が出なくなる。逆に、カバー２が硬いと飛距離は出るが、ソリッドコア１が硬い場合には、打球感触が悪くなる。打撃感触と飛距離とを良好にバランスさせるためには、ソリッドコア１が軟らかい場合にはカバー２を硬くし、ソリッドコア１が硬い場合には、カバー２を軟らかくするのが好ましい。例えば、ソリッドコア１を外被１ｂの表面から内側部に向けて０〜２ｍｍの範囲でのショアＤ硬度により分類し、前記表面から０〜２ｍｍの範囲のショアＤ硬度が、５０未満の軟らかいソリッドコア１の場合には、カバー２のショアＤ硬度を６３以上にし、５０以上の硬いソリッドコア１の場合には、カバー２のショアＤ硬度を６７以下にするのが好ましい。
【００１５】
【作用】
本発明においては、ソリッドコア１の外被１ｂをソリッドコア１の核部１ａよりも硬くし、且つ、外被１ｂの表面から０〜２ｍｍの範囲の硬度をその内側部よりも軟らかくしているので、高反発性が得られるとともに、ボール打撃時の衝撃が緩和される。
【００１６】
【発明の効果】
本発明のスリーピースソリッドゴルフボールは、高反発性を有するため、十分な飛距離を得ることができる。また、ボール打撃時の衝撃が緩和されることから、ソフトな打撃感触および十分な耐久性を有する。
【００１７】
【実施例】
実施例１〜５、比較例１、２
［表１］の配合からなる核部１ａおよび外被１ｂ用のゴム組成物を用いて２層構造のソリッドコア１を成形した。次に、［表１］の配合からなるカバー２の材料でソリッドコア１を被覆し、実施例１〜５、比較例１、２のスリーピースソリッドゴルフボールを作製した。そして、得られたスリーピースソリッドゴルフボールにつき、初速効率、キャリー、耐久性、打球感触を測定した結果を表２に示した。
【００１８】
【表１】
0003712284.tif 000002
【００１９】
※１：日本合成ゴム株式会社製のＢＲ−１８（商品名）、シス１，４構造９６％、ムーニー粘度［ＭＬ1+4 （１００℃）］５９
※２：商品名、三井デュポンポリケミカル株式会社製のナトリウムイオン中和タイプのアイオノマー樹脂
※３：商品名、三井デュポンポリケミカル株式会社製の亜鉛イオン中和タイプのアイオノマー樹脂
※４：エチレン−エチルアクリレート共重合体鹸化物
【００２０】
【表２】
0003712284.tif 000003
【００２１】
初速効率：スイングロボット装置を使用して、ウッド１番クラブ（＃１）により打った時のクラブヘッド速度に対するゴルフボールの初速度比率。
【００２２】
キャリー：スイングロボット装置を使用して、ウッド１番クラブ（＃１）によりクラブヘッド速度４５ｍ／ｓｅｃで打って測定。
【００２３】
耐久性：スイングロボット装置を使用して、ウッド１番クラブ（＃１）によりクラブヘッド速度４５ｍ／ｓｅｃで繰り返し打って評価。○良い、△普通、×悪い。
【００２４】
打球感：男子上級ゴルファーによる実打で評価。◎極めて良い、○良い、×悪い。
【００２５】
表２の実施例１〜５のゴルフボールは、比較例１および２と比較して初速効率が高く、キャリーが２０３．６〜２０５．４ｍで良く飛んだ。また、打撃感触がソフトで極めて良好という評価が得られた。また、耐久性も普通以上の評価が得られた。
【００２６】
これに対して、比較例１のゴルフボールは、ソリッドコアが硬く、打撃感触が悪いという評価であった。また、比較例２のゴルフボールは、カバーが硬いのにも拘わらず初速効率が悪く、キャリーが２０２．７ｍで飛ばなかった。
【図面の簡単な説明】
【図１】スリーピースソリッドゴルフボールの断面構造説明図である。
【符号の説明】
１…ソリッドコア                    １ａ…核部
１ｂ…外被                          ２…カバー
【図１】
0003712284.tif 000004